(57)【特許請求の範囲】
【請求項１】
デバイスから延びる複数の配線がコネクタに接続されるときの誤配線を検知する誤配線検知装置であって、
前記コネクタは、前記複数の配線がそれぞれ接続されるべき複数の接続部を備え、
前記誤配線検知装置は、
前記複数の接続部のうちの検知対象の接続部を示す対象信号を生成する対象信号生成部と、
前記コネクタに取付けられた状態で、前記コネクタを電源に接続するテスト用電源配線と、前記複数の接続部に対応する複数のテスト配線とを有し、工具が前記コネクタと導通状態にあるとき、前記複数の接続部のいずれか１つの接続部に前記複数の配線のうちの特定配線が前記工具により接続された場合に、前記１つの接続部に対応するテスト配線を、前記特定配線、前記工具、前記コネクタ、及び前記テスト用電源配線を介して前記電源へ接続することにより、前記１つの接続部を示す接続位置信号を生成する接続位置信号生成部と、
前記接続位置信号と前記対象信号とを比較して、前記検知対象の接続部に前記特定配線が接続されたか否かを判定し、判定結果を示す判定信号を生成する比較部と、
前記判定信号に基づいて、前記検知対象の接続部に前記特定配線が接続された場合に、正常情報を出力し、前記検知対象の接続部とは異なる接続部に前記特定配線が接続された場合に、誤配線情報を出力する出力装置と
を具備する
誤配線検知装置。
【請求項２】
請求項１に記載された誤配線検知装置であって、
前記接続位置信号は、前記電源から、前記テスト用電源配線、前記コネクタ、前記工具、前記特定配線、及び前記１つの接続部に対応する前記テスト配線を介して流れる電流に基づいて、生成される
誤配線検知装置。
【請求項３】
請求項２に記載された誤配線検知装置であって、
前記電源の電圧は、前記電源から、前記テスト用電源配線、前記コネクタ、前記工具、前記特定配線、及び前記１つの接続部に対応する前記テスト配線を介して流れる電流が、前記コネクタの実運用時に前記複数の配線の各々を流れる電流よりも小さくなるように、設定されている
誤配線検知装置。
【請求項４】
請求項１乃至３のいずれかに記載された誤配線検知装置であって、
前記対象信号生成部は、
前記判定信号を取得し、正しく接続が行われた場合に、予め定められた順番に従って、前記複数の接続部のうちの次の検知対象の接続部を決定し、前記決定した接続部を示す信号を、新たな対象信号として生成し、前記比較部に通知する順番制御部を備えている
誤配線検知装置。
【請求項５】
請求項４に記載された誤配線検知装置であって、
前記出力装置は、前記正常情報を出力した後に、前記次の検知対象の接続部を示す情報を出力する
誤配線検知装置。
【請求項６】
請求項１乃至５のいずれかに記載された誤配線検知装置であって、
前記出力装置は、前記複数の接続部と同一のレイアウトで配置された複数の発光部材を備えており、
前記検知対象の接続部に対応する発光部材を発光させることにより、前記正常情報又は前記誤配線情報を出力する
誤配線検知装置。
【請求項７】
請求項６に記載された誤配線検知装置であって、
前記対象信号生成部は、ユーザから、前記検知対象の接続部を指定する情報を受け付ける入力装置を備えている
誤配線検知装置。
【請求項８】
請求項７に記載された誤配線検知装置であって、
前記複数の発光部材は、押下可能に構成されており、
前記入力装置は、前記複数の発光部材のいずれかが押下された場合に、前記押下された発光部材を示す情報を、前記検知対象の接続部を指定する情報として受け付け、前記対象信号を生成する
誤配線検知装置。
【請求項９】
請求項１乃至８のいずれかに記載された誤配線検知装置であって、
前記出力装置は、音声により、正しく接続が行なわれたことを示す情報又は誤配線であることを示す情報を出力する音声出力装置を備えている
誤配線検知装置。
【請求項１０】
デバイスから延びる複数の配線がコネクタに接続されるときの誤配線を検知する誤配線検知方法であって、
前記コネクタは、前記複数の配線がそれぞれ接続されるべき複数の接続部を備え、
前記誤配線検知方法は、
前記複数の接続部のうちの検知対象の接続部を示す対象信号を生成するステップと、
誤配線検知装置が前記コネクタに取り付けられた状態で、前記コネクタはテスト用電源配線を介して電源に接続され、工具が前記コネクタと導通状態にあるとき、前記複数の接続部のいずれか１つの接続部に前記複数の配線のうちの特定配線が前記工具により接続された場合に、前記１つの接続部に対応するテスト配線を前記特定配線、前記工具、前記コネクタ、及び前記テスト用電源配線を介して前記電源に接続することにより前記１つの接続部を示す接続位置信号を生成するステップと、ここで、前記誤配線検知装置は、前記複数の配線に対応する複数のテスト配線を有し、
前記接続位置信号と前記対象信号とを比較し、前記検知対象の接続部に前記特定配線が接続されたか否かを判定するステップと、
前記検知対象の接続部に前記特定配線が接続された場合に、正常情報を出力し、前記検知対象の接続部とは異なる接続部に前記特定配線が接続された場合に、誤配線情報を出力するステップと
を具備する
誤配線検知方法。
【請求項１１】
請求項１０に記載された誤配線検知方法であって、
前記接続位置信号を生成するステップは、
前記テスト用電源配線により前記コネクタを前記電源に接続するステップと、
前記特定配線が前記１つの接続部に前記工具により接続された場合に、前記電源から、前記テスト用電源配線、前記コネクタ、前記工具、前記特定配線、及び前記１つの接続部に対応する前記テスト配線を介して流れる電流に基づいて、前記接続位置信号を生成するステップと
を備える
誤配線検知方法。
【請求項１２】
請求項１１に記載された誤配線検知方法であって、
前記電源の電圧は、前記電源から、前記テスト用電源配線、前記コネクタ、前記工具、前記特定配線、及び前記１つの接続部に対応する前記テスト配線を介して流れる電流が、前記コネクタの実運用時に前記複数の配線の各々を流れる電流よりも小さくなるように、設定されている
誤配線検知方法。
【請求項１３】
請求項１０乃至１２のいずれかに記載された誤配線検知方法であって、
正しく接続が行われた場合に、予め定められた順番に従って、前記複数の接続部のうちの次の検知対象の接続部を決定し、前記決定した接続部を示す信号を、新たな対象信号として生成するステップを更に具備する
誤配線検知方法。
【請求項１４】
請求項１３に記載された誤配線検知方法であって、
前記正常情報を出力した後に、前記次の検知対象の接続部を示す情報を出力するステップを更に具備する
誤配線検知方法。
【請求項１５】
請求項１０乃至１４のいずれかに記載された誤配線検知方法であって、
前記正常情報又は誤配線情報を出力するステップは、前記複数の接続部と同一のレイアウトで配置された複数の発光部材のうち、前記検知対象の接続部に対応する発光部材を発光させるステップを備える
誤配線検知方法。
【請求項１６】
請求項１５に記載された誤配線検知方法であって、
前記対象信号を生成するステップは、ユーザから、前記検知対象の接続部を指定する情報を受け付けるステップを備えている
誤配線検知方法。
【請求項１７】
請求項１６に記載された誤配線検知方法であって、
前記受け付けるステップは、前記複数の発光部材のいずれかが押下された場合に、前記押下された発光部材を示す情報を、前記検知対象の接続部を指定する情報として受け付けるステップを備えている
誤配線検知方法。
【請求項１８】
請求項１０乃至１７のいずれかに記載された誤配線検知方法であって、
前記正常情報又は前記誤配線情報を出力するステップは、音声により、前記正常情報及び前記誤配線情報を出力するステップを含んでいる
誤配線検知方法。
【発明の詳細な説明】
【技術分野】
【０００１】
本発明は、誤配線検知装置、及び誤配線検知方法に関する。
【背景技術】
【０００２】
電子装置（デバイス）は、配線を介して、相手方デバイスと接続されることがある。接続のために、コネクタが用いられる場合がある。図１は、デバイス１と相手方デバイス４との接続方法の一例を示す概略図である。図１に示される例では、デバイス１に、複数の配線５（５−１、５−２、・・）が設けられている。複数の配線５は、コネクタ２に差し込まれている。一方、相手方デバイス４にも、複数の配線が接続され、その複数の配線は、相手方コネクタ３に差し込まれている。コネクタ２は、相手方コネクタ３に接続されている。相手方コネクタ３も、配線を介して、相手方デバイス４に接続されている。これにより、デバイス１が、相手方デバイス４と電気的に接続される。尚、コネクタ２が、直接、相手方デバイス４に接続される場合もある。
【０００３】
コネクタ２を利用する際には、まず、デバイス１に取り付けられた複数の配線５を、コネクタ２に接続しなければならない。この際、複数の配線５の接続位置を間違えると（誤配線を行なうと）、デバイス１を正しく動作させることが出来なくなる。
【０００４】
上記に関連して、特許文献１（特開平９−２９８０７５号公報）には、誤配線防止装置が開示されている。この誤配線防止装置は、器具に配線しようとする配線物の情報が入力される配線物情報入力手段と、配線物情報入力手段から入力された配線物の情報に基づいて配線物の器具上における接続ポジションを判断する接続ポジション特定手段と、入力手段に情報入力された配線物の器具上の接続ポジションが接続ポジション特定手段に判断した接続ポジションと一致しているか否かを判断する正誤判断手段と、を具備したことを特徴とする。この特許文献１には、正しい接続ポジションに電線を接続した場合、回路が形成され、電流が流れ、誤判定出力部に電流が流れて音が出力される点が開示されている（段落［００１８］参照）。
【先行技術文献】
【特許文献】
【０００５】
【特許文献１】特開平９−２９８０７５号公報
【発明の概要】
【発明が解決しようとする課題】
【０００６】
特許文献１に記載された誤配線防止装置によれば、ユーザが正しい位置（接続ポジション）に配線（電線）を差し込んだ場合、音が出力される。しかしながら、間違った位置に配線が差し込まれた場合、回路が形成されず、何らの情報（音など）も出力されない（引用文献１、段落［００１８］参照）。そのため、ユーザは、誤配線であることを直ちに把握できない場合がある。なぜなら、情報が出力されない場合としては、間違った位置に配線を差し込んだ場合だけでなく、位置は正しいけれども配線が完全に差し込まれていない場合等も考えられるからである。
【課題を解決するための手段】
【０００７】
本発明に係る誤配線検知装置は、コネクタに接続される配線の誤配線を検知する、誤配線検知装置である。前記コネクタは、それぞれに配線が接続される、複数の接続部を備える。前記誤配線検知装置は、前記検知対象の接続部を示す対象信号を生成する、対象信号生成部と、前記複数の接続部のいずれかに前記配線が接続された場合に、前記配線が接続された接続部を示す接続位置信号を生成する、接続位置信号生成部と、前記接続位置信号と前記対象信号とを比較し、前記検知対象の接続部に前記配線が接続されたか否かを判定し、判定結果を示す判定信号を生成する、比較部と、前記判定信号に基づいて、前記検知対象の接続部に前記配線が接続された場合に、正常情報を出力し、前記検知対象の接続部とは異なる接続部に前記配線が接続された場合に、誤配線情報を出力する、出力装置とを具備する。
【０００８】
本発明に係る誤配線検知方法は、コネクタに接続される配線の誤配線を検知する、誤配線検知方法である。前記コネクタは、それぞれに配線が接続される、複数の接続部を備える。前記誤配線検知方法は、前記検知対象の接続部を示す対象信号を生成するステップと、前記複数の接続部のいずれかに前記配線が接続された場合に、前記配線が接続された接続部を示す接続位置信号を生成するステップと、前記接続位置信号と前記対象信号とを比較し、前記検知対象の接続部に前記配線が接続されたか否かを判定するステップと、前記検知対象の接続部に前記配線が接続された場合に、正常情報を出力し、前記検知対象の接続部とは異なる接続部に前記配線が接続された場合に、誤配線情報を出力するステップとを具備する。
【発明の効果】
【０００９】
本発明によれば、ユーザが誤配線であることを簡単に把握することができる、誤配線検知装置及び誤配線検知方法が提供される。
【図面の簡単な説明】
【００１０】
【図１】デバイスと相手方デバイスとの接続方法の一例を示す概略図である。
【図２】第１の実施形態に係る誤配線検知装置を概略的に示すブロック図である。
【図３】誤配線検知方法を示すフローチャートである。
【図４Ａ】第２の実施形態に係るコネクタを示す正面図である。
【図４Ｂ】第２の実施形態に係る入力装置及び出力装置を示す概略図である。
【図５】出力装置を示す概略図である。
【図６】第４の実施形態に係る誤配線検知装置を示す概略図である。
【図７】第４の実施形態に係る誤配線検知装置の動作方法を示すフローチャートである。
【発明を実施するための形態】
【００１１】
以下に、図面を参照しつつ、実施形態について説明する。
【００１２】
（第１の実施形態）
図２は、本実施形態に係る誤配線検知装置６を概略的に示すブロック図である。
【００１３】
本実施形態に係る誤配線検知装置６は、デバイス１に設けられた複数の配線５（５−１、５−２、・・・）をコネクタ２に接続する時に用いられ、誤配線を検知する機能を有している。コネクタ２には、複数の配線５に対応する複数のピン孔１３（１３−１、１３−２；接続部）が設けられている。ユーザは、複数の配線５のそれぞれを、対応するピン孔１３に差し込むことにより、各配線５をコネクタ２に接続する。
【００１４】
一方、図２に示されるように、誤配線検知装置６は、入力装置９、出力装置１０、比較部８、及び接続位置信号生成部７を備えている。
【００１５】
入力装置９は、ユーザからの指示を受け付ける部分である。入力装置９は、ユーザから、これから配線５を差し込むべきピン孔１３（以下、対象ピン孔）を指定する情報を受け付け、対象ピン孔１３を特定する情報を対象信号として生成し、比較部８に通知する機能を有している。すなわち、入力装置９は、対象信号生成部として機能する。
【００１６】
接続位置信号生成部７は、配線５が複数のピン孔１３のいずれかに差し込まれた場合に、配線５が差し込まれたピン孔１３を特定する信号を、接続位置信号として生成し、比較部８に通知する機能を有している。
【００１７】
具体的には、接続位置信号生成部７は、電源接続部１１、増幅器１２、テスト用電源配線２１、複数のテスト用配線１９（１９−１、１９−２、・・・）を備えている。複数のテスト用配線１９は、複数のピン孔１３に対応するように、設けられている。電源接続部１１は、コネクタ２に着脱自在に取り付けられる。電源接続部１１がコネクタ２に取り付けられると、コネクタ２が、テスト用電源配線２１を介して、電源に接続される。このとき、複数のピン孔１３に接続された複数の配線の各々が、対応するテスト用配線１９を介して、増幅器１２に接続される。増幅器１２は、対応するテスト用配線１９に生じた信号を増幅し、接続位置信号として比較部８に供給する機能を有している。
【００１８】
ユーザは、一方の手でコネクタ２を掴み、他方の手で工具２２を用いて、配線５を複数のピン孔１３のいずれかに差し込む。この場合、電源から、テスト用電源配線２１、コネクタ２、一方の手でコネクタ２を掴んでいるユーザ（人体）、ユーザが他方の手で持つ工具２２、差し込まれる配線５（５−２）、配線５が差し込まれるピン孔１３（１３−２）、ピン孔１３に接続されたテスト用配線１９（１９−２）を介して、電流が流れる（デバイス１には電流が流れていない）。電流は、増幅器１２によって増幅される。複数のテスト用配線１９のいずれかに増幅された電流が流れているかを示す信号が、接続位置信号として、比較部８に通知される。
【００１９】
比較部８は、対象信号と、接続位置信号とを比較し、配線５が差し込まれたピン孔１３が検知対象のピン孔１３であるか否かを判定する機能を有している。すなわち、比較部８は、配線５が、正しいピン孔１３に差し込まれたのか、間違ったピン孔１３に差し込まれたのかを、判定する。また、比較部８は、判定結果を示す判定信号を生成し、出力装置１０に通知する機能を有している。比較部８は、例えば、ＩＣ（Ｉｎｔｅｇｒａｔｅｄ  ｃｉｒｃｕｉｔ）により、実現される。
【００２０】
出力装置１０は、判定信号に基づいて、正常情報又は誤配線情報を出力する機能を有している。すなわち、配線５が正しいピン孔１３に差し込まれた場合、出力装置１０は、正しく配線５が差し込まれたことを示す正常情報を出力する。一方、配線５が間違ったピン孔１３に差し込まれた場合、出力装置１０は、誤配線であることを示す誤配線情報を出力する。
【００２１】
続いて、本実施形態に係る誤配線検知方法を説明する。図３は、誤配線検知方法を示すフローチャートである。
【００２２】
ステップＳ１；対象信号の生成
まず、ユーザが、入力装置９を介して、対象ピン孔１３を示す情報を入力する。入力装置９は、入力された情報に基づいて対象信号を生成し、比較部８に供給する。
【００２３】
ステップＳ２；配線の差込
次いで、ユーザは、配線５を、複数のピン孔１３のいずれかに差し込む。
【００２４】
ステップＳ３；接続位置信号の生成
配線５が差し込まれると、電源から、テスト用電源配線２１、コネクタ２、ユーザの人体、工具２２、各ピン孔１３、配線５、各テスト用配線１９を介して、電流が流れる。その結果、接続位置信号が生成され、比較部８に通知される。
【００２５】
ステップＳ４；判定
比較部８は、対象信号と接続位置信号とを比較し、配線５が差し込まれたピン孔１３が、対象ピン孔１３に一致するか否かを判定する。比較部８は、判定結果を示す判定信号を生成し、出力装置１０に通知する。
【００２６】
ステップＳ５；出力
出力装置１０は、判定信号に基づいて、正常情報又は誤配線情報を出力する。すなわち、配線５が差し込まれたピン孔１３が、検知対象のピン孔１３に一致する場合、正常情報が出力される。一方、配線５が差し込まれたピン孔１３が、検知対象のピン孔１３に一致しない場合、誤配線情報が出力される。
【００２７】
以上説明したように、本実施形態によれば、配線５が検知対象のピン孔１３に正しく差し込まれた場合、正常情報が出力される。一方、配線５が検知対象でないピン孔１３に差し込まれた場合、誤配線情報が出力される。正しいピン孔１３に配線５が差し込まれた場合だけでなく、間違ったピン孔１３に配線５が差し込まれた場合も、情報が出力される。そのため、ユーザは、誤配線であることを、直ちに知ることができる。
【００２８】
尚、本実施形態において、電源の電圧は、ステップＳ３において流れる電流が実運用時に配線５を流れる電流よりも小さくなるような大きさに設定されていることが好ましい。デバイス１には電流が流れないが（流れても微弱）、ステップＳ３において大電流が流れると、デバイス１に大きな電流が流れる可能性があり、デバイス１が故障してしまう可能性がある。ステップＳ３において流れる電流が微弱であれば、誤配線を検知するためにデバイス１が故障してしまうことが防止される。
【００２９】
（第２の実施形態）
続いて、第２の実施形態について説明する。本実施形態では、入力装置９及び出力装置１０の構造が工夫されている。その他の点については、第１の実施形態と同様の構成を採用することができるので、詳細な説明は省略する。
【００３０】
図４Ａは、コネクタ２を示す正面図である。図４Ａに示されるように、コネクタ２には、複数のピン孔１３が設けられている。
【００３１】
一方、図４Ｂは、入力装置９及び出力装置１０を示す概略図である。図４Ｂに示されるように、本実施形態では、入力装置９及び出力装置１０が、入出力装置として、一体化されている。この入出力装置は、操作パネルに取り付けられた複数の発光部材１４（１４−１、１４−２、・・・）、及びスピーカ１５（音声出力装置）を備えている。
【００３２】
複数の発光部材１４は、複数のピン孔１３に対応して設けられており、複数のピン孔１３と同一のレイアウトになるように配置されている。また、複数の発光部材１４は、押下可能に構成されている。ユーザは、複数の発光部材１４のいずれかを押下することにより、対象ピン孔１３を示す情報を入力することが可能である。各発光部材１４としては、複数の色で発光することができる部材（例えば、ＬＥＤ）が用いられることが好ましい。
【００３３】
また、入出力装置は、対象のピン孔１３に対応する発光部材１４を、特定の色（例えば青色）に発光させることにより、正常情報を出力される。一方で、入出力装置は、検知対象のピン孔１３に対応する発光部材１４を、正常情報のときとは異なる色（例えば赤色）に発光させることで、誤配線情報を出力する。
【００３４】
スピーカ１５は、出力装置１０として機能し、正常情報又は誤配線情報を、音声により出力する。
【００３５】
本実施形態によれば、入力装置９及び出力装置１０が一体化されているため、ユーザにとっての操作性を向上させることができる。
【００３６】
また、本実施形態によれば、複数の発光部材１４が、複数のピン孔１３と同一のレイアウトで配置されているため、ユーザは、どの発光部材１４が検知対象にするべき発光部材１４であるのか、認識し易くなる。
【００３７】
加えて、本実施形態によれば、音声によっても、正常情報又は誤配線情報が出力される。ユーザに対し、正常情報又は誤配線情報が、より確実に報知される。
【００３８】
（第３の実施形態）
続いて、第３の実施形態について説明する。本実施形態では、出力装置１０の構成が工夫されている。その他の点については、第１の実施形態と同様とすることができで、詳細な説明は省略する。
【００３９】
図５は、出力装置１０を示す概略図である。図５に示されるように、出力装置１０は、キーボードモデム１６、コンピュータ１７、ディスプレイ１８、及びスピーカ１５を備えている。
【００４０】
キーボードモデム１６は、判定信号を取得し、判定信号によって示される正常情報又は誤配線情報を、文字信号に変換する。
【００４１】
コンピュータ１７は、ＲＯＭ（Ｒｅａｄ  Ｏｎｌｙ  Ｍｅｍｏｒｙ）等に格納された、音声再生プログラム（例えば、Ｗｉｎｄｏｗｓ  Ｍｅｄｉａ  Ｐｌａｙｅｒ（登録商標））及び表示プログラム（例えば、Ｅｘｃｅｌ  Ｖｉｓｕａｌ  Ｂａｓｉｃ）を実行するように構成されている。コンピュータ１７は、音声再生プログラムを実行することにより、文字信号を、スピーカ１５によって再生する。また、コンピュータ１７は、表示プログラムを実行することにより、文字信号を、ディスプレイ１８に表示する。これにより、正常情報又は誤配線情報がスピーカ１５及びディスプレイ１８によって出力される。
【００４２】
本実施形態によっても、第１の実施形態と同様の作用効果を奏することが可能である。
【００４３】
（第４の実施形態）
続いて、第４の実施形態について説明する。図６は、本実施形態に係る誤配線検知装置６を示す概略図である。本実施形態では、対象信号生成部として、順番制御部２０が追加されている。その他の点については、第１の実施形態と同様とすることができるので、詳細な説明は省略する。
【００４４】
順番制御部２０は、予め定められた順番に従って、次の対象ピン孔１３を決定し、新たな対象信号を生成する機能を有している。
【００４５】
図７は、本実施形態に係る誤配線検知装置６の動作方法を示すフローチャートである。ステップＳ１乃至ステップＳ５までの動作は、第１の実施形態と同様であるので、詳細な説明は省略する。
【００４６】
ステップＳ６；正常か否か？
本実施形態では、ステップＳ５の後、順番制御部２０が、比較部８から、判定信号を取得する。そして、順番制御部２０は、配線５が正しくピン孔１３に差し込まれていたか否か（正常情報が出力されたか否か）を判別する。配線５が正しくピン孔１３に差し込まれていなかった場合、ステップＳ２以降の動作が繰り返される。
【００４７】
ステップＳ７；新たな対象信号の生成
配線５が正しくピン孔１３に差し込まれていた場合、順番制御部２０は、予め定められた順番に従って、複数のピン孔１３の中から次に配線５が差し込まれるべきピン孔１３を、次の対象ピン孔１３として決定する。順番制御部２０は、次の対象ピン孔１３を示す信号を、新たな対象信号として生成し、比較部８及び出力装置１０に供給する。
【００４８】
ステップＳ８；次の処理対象を示す情報の出力
出力装置１０は、新たな対象信号を取得すると、次に配線５が差し込まれるべきピン孔１３を示す情報を出力し、ユーザに報知する。すなわち、出力装置１０は、ステップＳ５において、正常情報を出力した後、次の対象ピン孔１３を示す情報を出力することになる。
【００４９】
以後、ユーザは、出力された情報に従って、次の配線５を差し込み、ステップＳ２以降の処理が繰り返される。
【００５０】
本実施形態によれば、順番制御部２０により、次に配線５が差し込まれるべきピン孔１３を示す情報が出力される。従って、ユーザは、次の配線５を差し込むべきピン孔１３を、容易に認識できる。
【００５１】
以上、本発明について、第１乃至第４の実施形態を用いて説明した。尚、これらの実施形態は独立するものではなく、矛盾のない範囲内で組み合わせて用いることも可能である。
【符号の説明】
【００５２】
１  デバイス
２  コネクタ
３  相手方コネクタ
４  相手方デバイス
５  配線
６  誤配線検知装置
７  接続位置信号生成部
８  比較部
９  入力装置
１０  出力装置
１１  電源接続部
１２  増幅器
１３  ピン孔
１４  発光部材
１５  スピーカ
１６  キーボードモデム
１７  コンピュータ
１８  ディスプレイ
１９  テスト用配線
２０  順番制御部
２１  テスト用電源配線
２２  工具
【図１】
0005871679.tif 000002
【図２】
0005871679.tif 000003
【図３】
0005871679.tif 000004
【図４Ａ】
0005871679.tif 000005
【図４Ｂ】
0005871679.tif 000006
【図５】
0005871679.tif 000007
【図６】
0005871679.tif 000008
【図７】
0005871679.tif 000009